Podtech/llm-jp-corpus-v4-ja_patent huggingface dataset:
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
ターボ機械ダイアフラムセクションであって、
第１のターボ機械セクションにおいて、第１の内側ダイアフラムリング及び第１の外側ダイアフラムリングを有する第１のダイアフラム段と、
第１のターボ機械セクションと対向する第２のターボ機械セクションにおいて、第２の内側ダイアフラムリング及び第２の外側ダイアフラムリングを有する第２のダイアフラム段と、
第１の内側ダイアフラムリング及び第２の内側ダイアフラムリングと接続されて、作動流体の流れを第１のダイアフラム段及び第２のダイアフラム段の各々に分流する分流器であって、分流器が、実質的に平坦な半径方向外側表面を有する本体セクションと、前記本体セクションから延び、各々が第１の内側ダイアフラムリング及び第２の外側ダイアフラムリングそれぞれと係合する軸方向に延びるフランジのペアとを備えていて、分流器が、実質的に平坦な半径方向外側表面と反対側の半径方向内側表面であって、前記本体セクションと軸方向に延びるフランジのペアとの間に延びる半径方向内側表面を有する、分流器と、
前記軸方向に延びるフランジのペアの少なくとも一方と、第１の内側ダイアフラムリング又は第２の内側ダイアフラムリングの少なくとも一方との間で前記分流器の水平継手表面に近接したキー部材のセットと
を備えており、前記半径方向内側表面が、キー部材のセットの各々の半径方向内側表面と同一平面をなし、キー部材のセットの各々の一部が前記半径方向内側表面に隣接して半径方向に露出されている、ターボ機械ダイアフラムセクション。
【請求項２】
第１の内側ダイアフラムリング及び第２の内側ダイアフラムリング各々が、前記キー部材のセットのキー部材の一部分を収納するスロットを含む、請求項１記載のターボ機械ダイアフラムセクション。
【請求項３】
第１の内側ダイアフラムリング及び第２の内側ダイアフラムリング各々が、前記分流器の軸方向に延びるフランジのペアの一方のフランジと係合する段部を含む、請求項２記載のターボ機械ダイアフラムセクション。
【請求項４】
前記分流器が、圧延金属プレート又はシートメタルを含む、請求項１記載のターボ機械ダイアフラムセクション。
【請求項５】
前記分流器がシートメタルを含む場合には、前記シートメタルが、５ｃｍ以上の厚さを有する、請求項４記載のターボ機械ダイアフラムセクション。
【請求項６】
前記半径方向内側表面は機械加工がない、請求項１記載のターボ機械ダイアフラムセクション。
【請求項７】
前記キー部材のセットが、第１のダイアフラム段及び第２のダイアフラム段に対する前記分流器の回転を制限する、請求項１記載のターボ機械ダイアフラムセクション。
【請求項８】
複流ターボ機械であって、
第１の内側ダイアフラムリング及び第１の外側ダイアフラムリングを含む第１のダイアフラム段を有する第１のセクションと、
第１のセクションと対向し、第２の内側ダイアフラムリング及び第２の外側ダイアフラムリングを含む第２のダイアフラム段を有する第２のセクションと、
第１の内側ダイアフラムリング及び第２の内側ダイアフラムリングと接続されて、作動流体の流れを第１のダイアフラム段及び第２のダイアフラム段の各々に分流する分流器であって、分流器が、実質的に平坦な半径方向外側表面を有する本体セクションと、前記本体セクションから延び、各々が第１の内側ダイアフラムリング及び第２の外側ダイアフラムリングそれぞれと係合する軸方向に延びるフランジのペアとを備えていて、分流器が、実質的に平坦な半径方向外側表面と反対側の半径方向内側表面であって、前記本体セクションと軸方向に延びるフランジのペアとの間に延びる半径方向内側表面を有する、分流器と、
前記軸方向に延びるフランジのペアの少なくとも一方と、第１の内側ダイアフラムリング又は第２の内側ダイアフラムリングの少なくとも一方との間で前記分流器の水平継手表面に近接したキー部材のセットと
を備えており、前記半径方向内側表面が、キー部材のセットの各々の半径方向内側表面と同一平面をなし、キー部材のセットの各々の一部が前記半径方向内側表面に隣接して半径方向に露出されている、複流ターボ機械。
【請求項９】
第１の内側ダイアフラムリング及び第２の内側ダイアフラムリング各々が、前記キー部材のセットのキー部材の一部分を収納するスロットを含む、請求項８記載の複流ターボ機械。
【請求項１０】
第１の内側ダイアフラムリング及び第２の内側ダイアフラムリング各々が、前記分流器の軸方向に延びるフランジのペアの一方のフランジと係合する段部を含む、請求項９記載の複流ターボ機械。
【請求項１１】
前記分流器が、圧延金属プレート又はシートメタルを含む、請求項８記載の複流ターボ機械。
【請求項１２】
前記分流器がシートメタルを含む場合には、前記シートメタルが、５ｃｍ以上の厚さを有する、請求項１１記載の複流ターボ機械。
【請求項１３】
前記半径方向内側表面は機械加工がない、請求項８記載の複流ターボ機械。
【請求項１４】
前記キー部材のセットが、第１のダイアフラム段及び第２のダイアフラム段に対する前記分流器の回転を制限する、請求項８記載の複流ターボ機械。
【請求項１５】
第１の内側ダイアフラムリングと第１の外側ダイアフラムリングとの間に延びるノズルの第１のセットと、
第２の内側ダイアフラムリングと第２の外側ダイアフラムリングとの間に延びるノズルの第２のセットとをさらに備え、前記分流器が、前記作動流体を前記ノズルの第１のセット及び前記ノズルの第２のセットの各々に分流するように位置付けられる、請求項８記載の複流ターボ機械。
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
遮光体を含む光学装置の製造方法において、
基板を準備する工程と、
前記基板上にＣｏ−Ｗ−Ｂを含むめっき液を供給して無電解めっき処理を施すことによりＣｏ−Ｗ−Ｂを含むめっき層を形成する工程と、
を備えたことを特徴とする遮光体を含む光学装置の製造方法。
【請求項２】
遮光体を含む光学装置の製造システムに光学装置の製造方法を実行させるためのコンピ
ュータプログラムを格納した記憶媒体において、
光学装置の製造方法は、
基板を準備する工程と、
前記基板上にＣｏ−Ｗ−Ｂを含むめっき液を供給して無電解めっき処理を施すことによりＣｏ−Ｗ−Ｂを含むめっき層を形成する工程と、
を備えたことを特徴とする記憶媒体。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
複数のプレイヤの情報を記憶する記憶部を備え、プレイヤからの指示に基づいてゲームを進行させるコンピュータを制御して、
一のプレイヤに、複数の他のプレイヤの中から、所定の特典を付与する他のプレイヤを選択するための画面を提示する提示ステップと、
一のプレイヤから前記所定の特典を付与する他のプレイヤの選択を受け付ける受付ステップと、
前記他のプレイヤが所定期間内に前記一のプレイヤに固有のゲーム空間を閲覧したときに、前記一のプレイヤに、前記所定の特典を前記他のプレイヤに対して付与させる付与ステップと、を実行させ、
前記提示ステップにおいて、前記画面に、前記複数の他のプレイヤのそれぞれについて、各プレイヤが過去に前記所定の特典を付与された回数、又は、各プレイヤが前記所定の特典を付与された最新の時刻を表示する、
ことを特徴とするコンピュータの制御方法。
【請求項２】
前記一のプレイヤからの要求に応じて、他のプレイヤに対し、前記ゲーム内で前記一のプレイヤに固有のゲーム空間を閲覧するように呼び掛ける呼掛けステップを前記コンピュータにさらに実行させる、請求項１に記載の方法。
【請求項３】
前記付与ステップでは、前記コンピュータは、前記一のプレイヤに、前記他のプレイヤに対して、前記一のプレイヤに固有のゲーム空間における前記ゲームの進行状況に応じて異なる特典を前記所定の特典として付与させる、請求項１または２に記載の方法。
【請求項４】
前記付与ステップでは、前記コンピュータは、前記一のプレイヤにも特典を付与する、請求項１〜３の何れか一項に記載の方法。
【請求項５】
前記所定期間は、前記一のプレイヤが前記ゲーム内で特定の目的を達成したときに開始する、請求項１〜４の何れか一項に記載の方法。
【請求項６】
複数のプレイヤのそれぞれについて、当該プレイヤに固有のゲーム空間が前記所定期間内であり当該プレイヤから他のプレイヤにゲーム媒体を付与可能であるか否かを視認可能に示した一覧画面を、各プレイヤに提示する第２の提示ステップを前記コンピュータにさらに実行させる、請求項１〜５の何れか一項に記載の方法。
【請求項７】
前記一のプレイヤに固有のゲーム空間が前記所定期間内であることを他のプレイヤに通知する通知ステップを前記コンピュータにさらに実行させる、請求項１〜６の何れか一項に記載の方法。
【請求項８】
前記一のプレイヤに固有のゲーム空間における前記ゲームの進行状況に応じて前記所定期間の長さを変更する期間変更ステップを前記コンピュータにさらに実行させる、請求項１〜７の何れか一項に記載の方法。
【請求項９】
前記付与ステップでは、前記コンピュータは、前記ゲーム内において前記一のプレイヤと特定の関係を有する他のプレイヤが前記一のプレイヤに固有のゲーム空間を閲覧したときに、前記一のプレイヤに、当該他のプレイヤに対して前記所定の特典を付与させる、請求項１〜８の何れか一項に記載の方法。
【請求項１０】
前記他のプレイヤには、前記付与ステップにおいて前記所定の特典が付与されるまでは前記他のプレイヤが前記所定の特典を付与するプレイヤとして選択されたか否かが通知されない、請求項１〜９の何れか一項に記載の方法。
【請求項１１】
前記一のプレイヤからの指示に応じて、前記所定の特典を付与するプレイヤを変更する変更ステップを前記コンピュータにさらに実行させる、請求項１〜１０の何れか一項に記載の方法。
【請求項１２】
前記付与ステップでは、一定期間内に同じプレイヤに複数回前記所定の特典を付与することが禁止される、請求項１〜１１の何れか一項に記載の方法。
【請求項１３】
プレイヤからの指示に応じて、当該プレイヤに付与された前記所定の特典を他の景品と交換する交換ステップを前記コンピュータにさらに実行させる、請求項１〜１２の何れか一項に記載の方法。
【請求項１４】
複数のプレイヤの情報を記憶する記憶部を備え、プレイヤからの指示に基づいてゲームを進行させるコンピュータの制御プログラムであって、前記コンピュータに、
一のプレイヤに、複数の他のプレイヤの中から、所定の特典を付与する他のプレイヤを選択するための画面を提示する機能と、
一のプレイヤから前記所定の特典を付与する他のプレイヤの選択を受け付ける機能と、
前記他のプレイヤが所定期間内に前記一のプレイヤに固有のゲーム空間を閲覧したときに、前記一のプレイヤに、前記所定の特典を前記他のプレイヤに対して付与させる機能と、を実現させ、
前記提示する機能において、前記画面に、前記複数の他のプレイヤのそれぞれについて、各プレイヤが過去に前記所定の特典を付与された回数、又は、各プレイヤが前記所定の特典を付与された最新の時刻を表示する、
ことを特徴とするコンピュータの制御プログラム。
【請求項１５】
プレイヤからの指示に基づいてゲームを進行させるコンピュータであって、
複数のプレイヤの情報を記憶する記憶部と、
一のプレイヤに、複数の他のプレイヤの中から、所定の特典を付与する他のプレイヤを選択するための画面を提示する提示部と、
一のプレイヤから前記所定の特典を付与する他のプレイヤの選択を受け付ける受付部と、
前記他のプレイヤが所定期間内に前記一のプレイヤに固有のゲーム空間を閲覧したときに、前記一のプレイヤに、前記所定の特典を前記他のプレイヤに対して付与させる付与部と、を有し、
前記提示部は、前記画面に、前記複数の他のプレイヤのそれぞれについて、各プレイヤが過去に前記所定の特典を付与された回数、又は、各プレイヤが前記所定の特典を付与された最新の時刻を表示する、
を備えることを特徴とするコンピュータ。
【手続補正書】
【提出日】平成29年7月11日(2017.7.11)
【手続補正１】
【補正対象書類名】明細書
【補正対象項目名】０００４
【補正方法】変更
【補正の内容】
【０００４】
ところで、所定の実行タイミングになったら所定演出を実行するという構成では、設定画面の表示中に所定の実行タイミングとなった場合に、設定画面の表示に支障を来たすおそれがある。
【手続補正２】
【補正対象書類名】明細書
【補正対象項目名】０００５
【補正方法】変更
【補正の内容】
【０００５】
それ故に、本発明の目的は、設定画面の表示に支障を来たすことなく所定演出を実行することが可能な遊技機を提供することである。
【手続補正３】
【補正対象書類名】明細書
【補正対象項目名】０００６
【補正方法】変更
【補正の内容】
【０００６】
本発明は、上記の課題を解決するために以下の構成を採用した。
【手続補正４】
【補正対象書類名】明細書
【補正対象項目名】０００７
【補正方法】変更
【補正の内容】
【０００７】
本発明に係る遊技機は、遊技者に有利な特別遊技を実行するか否かを判定して、その判定結果に応じて前記特別遊技を実行する遊技機であって、所定の操作に基づいて設定画面を表示する設定画面表示手段と、所定演出を実行可能な所定演出実行手段とを備え、前記所定演出実行手段は、前記設定画面が表示されていないときに所定の実行タイミングになったら前記所定演出を実行する一方で、前記設定画面が表示されていたら前記実行タイミングであっても前記所定演出を実行しない。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
この発明によれば、設定画面の表示に支障を来たすことなく所定演出を実行することが可能である。
【手続補正９】
【補正対象書類名】特許請求の範囲
【補正対象項目名】全文
【補正方法】変更
【補正の内容】
【特許請求の範囲】
【請求項１】
遊技者に有利な特別遊技を実行するか否かを判定して、その判定結果に応じて前記特別遊技を実行する遊技機であって、
所定の操作に基づいて設定画面を表示する設定画面表示手段と、
所定演出を実行可能な所定演出実行手段とを備え、
前記所定演出実行手段は、
前記設定画面が表示されていないときに所定の実行タイミングになったら前記所定演出を実行する一方で、
前記設定画面が表示されていたら前記実行タイミングであっても前記所定演出を実行しないことを特徴とする遊技機。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
回転方向に沿って複数の図柄が形成された回胴と、
前記回胴を回転駆動する回転駆動手段と、
記憶部の記憶データに基づいて遊技動作に関する処理を実行する制御手段とを備え、
前記回胴を回転させて抽選結果に応じた停止態様で停止させることにより１ゲームが終了する遊技機において、
前記制御手段は、
前記遊技動作の進行を制御するメイン処理と、メイン処理を中断して所定時間毎に実行される割込み処理とを有して構成され、
前記メイン処理は、
前記回胴の回転停止を指示する回転停止操作が行われたことに応じて前記回胴の停止位置を決定する停止位置決定手段と、
回転中の前記回胴が、前記停止位置決定手段が決定した停止位置に到達したときに停止命令情報を設定する停止命令設定手段と、
全ての前記回胴について前記停止命令情報が設定されたことを条件に行われる所定の処理を実行した後、次のゲームが開始されるまでに、前記記憶部に記憶された記憶データを初期化する初期化手段と、を含み、
前記割込み処理は、
前記回胴の回転中に、前記回転駆動手段を駆動させるための駆動データを繰り返し更新して前記記憶部に記憶する更新手段と、
前記停止命令設定手段が設定した前記停止命令情報に基づいて、前記駆動データの更新を中止して所定の駆動データを前記記憶部に記憶する停止手段と、
前記停止手段が機能した後、前記記憶部に記憶された時間情報に基づく時間が経過するまで前記記憶部に記憶された前記所定の駆動データを維持する保持手段と、
前記記憶部に記憶された駆動データに基づく駆動信号を前記回転駆動手段に出力する出力手段と、を含み、
前記制御手段は、
前記記憶部に記憶された現在のゲームにおける前記抽選結果の情報を前記初期化手段により初期化した後、前記時間情報に基づく時間の経過を確認することなく、次のゲームのための処理に移行可能とされた
遊技機。
【手続補正２】
【補正対象書類名】明細書
【補正対象項目名】０００７
【補正方法】変更
【補正の内容】
【０００７】
本発明に係る遊技機は、回転方向に沿って複数の図柄が形成された回胴と、前記回胴を回転駆動する回転駆動手段と、記憶部の記憶データに基づいて遊技動作に関する処理を実行する制御手段とを備え、前記回胴を回転させて抽選結果に応じた停止態様で停止させることにより１ゲームが終了する遊技機において、前記制御手段は、前記遊技動作の進行を制御するメイン処理と、メイン処理を中断して所定時間毎に実行される割込み処理とを有して構成され、前記メイン処理は、前記回胴の回転停止を指示する回転停止操作が行われたことに応じて前記回胴の停止位置を決定する停止位置決定手段と、回転中の前記回胴が、前記停止位置決定手段が決定した停止位置に到達したときに停止命令情報を設定する停止命令設定手段と、全ての前記回胴について前記停止命令情報が設定されたことを条件に行われる所定の処理を実行した後、次のゲームが開始されるまでに、前記記憶部に記憶された記憶データを初期化する初期化手段と、を含み、前記割込み処理は、前記回胴の回転中に、前記回転駆動手段を駆動させるための駆動データを繰り返し更新して前記記憶部に記憶する更新手段と、前記停止命令設定手段が設定した前記停止命令情報に基づいて、前記駆動データの更新を中止して所定の駆動データを前記記憶部に記憶する停止手段と、前記停止手段が機能した後、前記記憶部に記憶された時間情報に基づく時間が経過するまで前記記憶部に記憶された前記所定の駆動データを維持する保持手段と、前記記憶部に記憶された駆動データに基づく駆動信号を前記回転駆動手段に出力する出力手段と、を含み、前記制御手段は、前記記憶部に記憶された現在のゲームにおける前記抽選結果の情報を前記初期化手段により初期化した後、前記時間情報に基づく時間の経過を確認することなく、次のゲームのための処理に移行可能とされたものである。
【手続補正３】
【補正対象書類名】明細書
【補正対象項目名】０１８２
【補正方法】変更
【補正の内容】
【０１８２】
先ず、ステップＳ４３８においてＣＰＵ８０ａは、モータ出力タイマＴｏｍの値が０であるか否かを判別する。
ここで、先のステップＳ４３７で回胴停止中フラグ＝１にセットした後、初回にステップＳ４３８の処理が実行される時点では、モータ出力タイマＴｏｍの値としてタイムテーブルインデックス＝２５に対応した「１５１」がセットされている。これは、起動処理の最後のタイマ割込み処理で実行されたステップＳ４１８及びＳ４１９の処理によってタイムテーブルインデックス＝２５に対応した「１５１」が取得・セットされた以降、定常回転中においてはモータ出力タイマＴｏｍの値が一切更新されないためである。
【手続補正書】
【提出日】平成29年6月8日(2017.6.8)
【手続補正１】
【補正対象書類名】特許請求の範囲
【補正対象項目名】請求項２
【補正方法】変更
【補正の内容】
【請求項２】
前記第二ケース体の外壁部には、前記スリットによって区切られることで片持ち状となった前記第一ケース体と一体化するためのロック片部が形成されていることを特徴とする請求項１に記載のケース。
【手続補正２】
【補正対象書類名】特許請求の範囲
【補正対象項目名】請求項４
【補正方法】変更
【補正の内容】
【請求項４】
前記第一ケース体と前記第二ケース体により、前記第一空間内に収容される被収容物に接続される接続部材の少なくとも一部が収容される第二空間が形成されていることを特徴とする請求項１から請求項３のいずれか一項に記載のケース。
【手続補正３】
【補正対象書類名】明細書
【補正対象項目名】００１４
【補正方法】変更
【補正の内容】
【００１４】
流路が、スリットの開口端縁を含まない基端側の一部と連なった形状とすることで、流路とスリットが連なった箇所よりも低い位置に第一ケース体と第二ケース体の境界が位置する構造となるため、第一ケース体と第二ケース体の境界（隙間）から水が浸入しにくい構造となる。
【手続補正４】
【補正対象書類名】明細書
【補正対象項目名】００３６
【補正方法】変更
【補正の内容】
【００３６】
上述したように、第二の部分１６２は出口１６ａに繋がっている。本実施形態では、当該出口１６ａとなる孔（空間）が第二ケース体２０に形成されている。具体的には、第二ケース体２０に形成されたスリット２１１の少なくとも一部が、当該出口１６ａとして機能する（図６等参照）。つまり、ロック片部２１２を変形可能とする（片持ち状とする）ために形成するスリット２１１を、排水用の出口１６ａとして利用している。
【手続補正書】
【提出日】平成29年6月8日(2017.6.8)
【手続補正１】
【補正対象書類名】明細書
【補正対象項目名】００１２
【補正方法】変更
【補正の内容】
【００１２】
【図１】本発明の一実施形態にかかる基板ユニットの外観を模式的に示した図である。
【図２】第二ケース体を取り外した状態にある本発明の一実施形態にかかる基板ユニットの外観を模式的に示した図である。
【図３】図１のＡ−Ａ線断面図である（接続部材は図示せず）。
【図４】図１のＢ−Ｂ線断面図である（接続部材は図示せず）。
【図５】ケース内に収容される基板ユニットの外観図である。
【図６】基板ユニットにおける電子部品（一部の端子が導電部材に電気的に接続されるもの）が実装された部分（基板およびそれに固定された導電部材）を拡大して示した図である。
【図７】基板ユニットにおける電子部品（一部の端子が導電部材に電気的に接続されるもの）が実装された部分（基板およびそれに固定された導電部材）の断面図であって、ドレイン端子およびソース端子を通過する平面で切断した断面図である。
【図８】図１のＣ−Ｃ線断面を模式的に示した図である。
【図９】本発明の一実施形態にかかる基板ユニットを、スリットが形成された側から見た側面図である。
【図１０】第一ケース体に形成された流路を説明するための図（第一ケース体を平面方向に沿う面で切断した断面の模式図）であって、突出部を点線で図示することにより突出部と流路（第二流路部）の位置関係を示した図である。
【図１１】第一流路部と第二流路部が繋がる部分を拡大して示した図であって、突出部を点線で図示することにより突出部と流路（第二流路部）の位置関係を示した図である。
【手続補正２】
【補正対象書類名】明細書
【補正対象項目名】００２０
【補正方法】変更
【補正の内容】
【００２０】
電子部品４３は、素子本体４３１および端子部を有する。基板・導電部材組４０には複数の電子部品４３が実装されている。特定の電子部品４３の少なくとも一部の端子は、基板４１に形成された開口４１１を通じて導電部材４２の本体部４２１に電気的に接続される。このような端子の一部が導電部材４２の本体部４２１に電気的に接続される電子部品としては、トランジスタ（ＦＥＴ）が例示できる。トランジスタのドレイン端子４３２およびソース端子４３３は、導電部材４２の本体部４２１に接続され、ゲート端子４３４は基板４１の導電パターンに接続される。このように、電子部品４３のうちの少なくとも一部は、その少なくとも一部の端子が、導電部材４２に対し直接電気的に接続されるものである。別の見方をすれば、全ての端子が基板４１に形成された導電パターンに直接電気的に接続される電子部品４３（少なくとも一部の端子が導電部材４２に対し直接電気的に接続されないもの）が存在していてもよいということである。
【手続補正３】
【補正対象書類名】明細書
【補正対象項目名】００３４
【補正方法】変更
【補正の内容】
【００３４】
第一流路部６１の第二出口７２は、ケース１ａの前後方向中央側に設けられている。第二の部分６１２は、第一ケース体１０（枠部材１１）に形成された空間部６１３に繋がっている。当該空間部６１３が第二出口７２に繋がっている（図９〜図１１等参照）。つまり、本実施形態における第一流路部６１は、第一の部分６１１、第二の部分６１２および空間部６１３から構成されるものである。つまり、排水用流路６０は、水が流れることが可能な領域であれば溝のような細長い形状でない部分を含んでいてもよい（空間部６１３のようなまとまった領域を含んでいてもよい）。第一の部分６１１および第二の部分６１２は、上方が開口した溝であり、当該開口を覆うように第二ケース体２０が設けられる。空間部６１３は、第三ケース体３０に覆われる部分である。
【手続補正４】
【補正対象書類名】明細書
【補正対象項目名】００３６
【補正方法】変更
【補正の内容】
【００３６】
第一ケース体１０を構成する枠部材１１の外縁の少なくとも一部には、段差が形成されている。具体的には、第一流路部６１（第一の部分６１１、第二の部分６１２、空間部６１３）の底面よりも低くなるように凹んだ段差部１５が形成されている。また、第一ケース体１０を構成する枠部材１１には、上方に向かって突出した突起である支持突起１４が形成されている。当該支持突起１４の上面が上記土台部１２となる。支持突起１４の外面には、外側に向かって突出したロック突起１４１が形成されている。支持突起１４の外面は段差部１５の上下方向に沿う面と同一（面一）である。枠部材１１には、側方から見て、支持突起１４の根元部分の一部が抉られたような溝（横溝６１３ａ）が形成されている。当該横溝６１３ａは空間部６１３の一部である（図２、図９等参照）。
【手続補正書】
【提出日】平成29年6月30日(2017.6.30)
【手続補正１】
【補正対象書類名】明細書
【補正対象項目名】００３７
【補正方法】変更
【補正の内容】
【００３７】
第一ケース体１０を構成する枠部材１１の外縁の少なくとも一部には、段差が形成されている。具体的には、第一流路部６１の底面（第一の部分６１１、第二の部分６１２、空間部６１３の底面）よりも低くなるように凹んだ段差部１５が形成されている。また、第一ケース体１０を構成する枠部材１１には、上方に向かって突出した突起である支持突起１４が形成されている。当該支持突起１４の上面が上記土台部１２となる。支持突起１４の外面には、外側に向かって突出したロック突起１４１が形成されている。支持突起１４の外面は段差部１５の上下方向に沿う面と同一（面一）である。枠部材１１には、側方から見て、支持突起１４の根元部分の一部が抉られたような溝（横溝６１３ａ）が形成されている。当該横溝６１３ａは空間部６１３の一部である（図２、図６等参照）。
【手続補正２】
【補正対象書類名】明細書
【補正対象項目名】００４１
【補正方法】変更
【補正の内容】
【００４１】
第二流路部６２は、第一空間Ｓ１と第一流路部６１とを繋ぐ流路である。第一流路部６１に臨む第二流路部６２の開口縁は、第一流路部６１の第一出口７１側の縁である一方側開口縁６２ａよりも、第一流路部６１の第二出口７２側の縁である他方側開口縁６２ｂの方が第一空間Ｓ１側に位置している（図７、図８等参照）。他方側開口縁６２ｂよりも一方側開口縁６２ａの方が第一流路部６１側に突出しているともいえる。
【手続補正３】
【補正対象書類名】明細書
【補正対象項目名】００４２
【補正方法】変更
【補正の内容】
【００４２】
このような構成としたことによる作用は次の通りである。第一出口７１側から第二出口７２側に向かって第一流路部６１を流れる水は、途中で第二流路部６２が繋がった箇所を通る。このとき、第二流路部６２の他方側開口縁６２ｂよりも一方側開口縁６２ａの方が第一流路部６１側に突出しているから、第一流路部６１を流れる水の大部分は、第二流路部６２に入り込まずにそのまま第二流路部６２が繋がった箇所を通過し、第二出口７２に向かう。つまり、第一出口７１から入り込んだ水が、第二流路部６２を介して第一空間Ｓ１内に入り込みにくい構造となっている。
【手続補正４】
【補正対象書類名】明細書
【補正対象項目名】００４６
【補正方法】変更
【補正の内容】
【００４６】
一方、第一空間Ｓ１内に入り込んだ水や凝結等によって第一空間Ｓ１内に生じた水は、第二流路部６２を通じて第一流路部６１に入り込み、第一出口７１または第二出口７２から排出可能である。ケース１が傾いて設置された場合、ケース１が振動環境下に設置される場合等、水の流れる方向はどの方向となるか予測がつかないところもあるため、様々な方向に出口を設けておくことにより水の排出がスムーズになる。本実施形態では、このような理由で複数の出口を設けたことによって生じうる不都合（水排出用の出口が水の浸入を促進する要因となってしまうこと）を防ぐために、上記のような第一流路部６１と第二流路部６２の接続部分の構造、第二出口７２の構造としている。
【手続補正書】
【提出日】平成29年6月8日(2017.6.8)
【手続補正１】
【補正対象書類名】特許請求の範囲
【補正対象項目名】請求項１
【補正方法】変更
【補正の内容】
【請求項１】
一方の面に導電パターンが形成されるとともに、開口が形成された基板と、
本体部が前記基板の他方の面に固定された部材であって、前記基板に形成された開口を通じて電子部品の一部の端子が電気的に接続される導電部材と、
前記導電部材の本体部から延びた延設部が接触する放熱部材と、
を備えることを特徴とする基板ユニット。
【手続補正２】
【補正対象書類名】明細書
【補正対象項目名】０００６
【補正方法】変更
【補正の内容】
【０００６】
上記課題を解決するために本発明にかかる基板ユニットは、一方の面に導電パターンが形成されるとともに、開口が形成された基板と、本体部が前記基板の他方の面に固定された部材であって、前記基板に形成された開口を通じて電子部品の一部の端子が電気的に接続される導電部材と、前記導電部材の本体部から延びた延設部が接触する放熱部材と、を備えることを特徴とする。
【手続補正３】
【補正対象書類名】明細書
【補正対象項目名】００１８
【補正方法】変更
【補正の内容】
【００１８】
以下、本発明の実施形態について図面を参照しつつ詳細に説明する。なお、特に明示した場合を除き、以下の説明における平面方向とは、基板１０や導電部材２０の平面方向をいい、高さ方向（上下方向）とは平面方向に直交する方向（基板１０における導電部材２０が固定された側の反対側を上とする）をいうものとする。なお、これらの方向は、基板ユニット１の設置方向を限定するものではない。
【手続補正４】
【補正対象書類名】明細書
【補正対象項目名】００２３
【補正方法】変更
【補正の内容】
【００２３】
電子部品３０は、基板１０・導電部材２０組に実装される素子であって、素子本体３１および端子部を有する。基板１０・導電部材２０組には複数の電子部品３０が実装されている。図３および図４に示すように、特定の電子部品３０の少なくとも一部の端子は、基板１０に形成された開口１１を通じ、はんだ等の導電性材料を介して導電部材２０の本体部２１に電気的かつ物理的に接続される。このような端子の一部が導電部材２０の本体部２１に電気的に接続される電子部品としては、トランジスタ（ＦＥＴ）が例示できる。トランジスタのドレイン端子３２およびソース端子３３は、開口１１を通じて導電部材２０の本体部２１に電気的に接続され、ゲート端子３４は基板１０の導電パターン（ランド）に電気的に接続される。なお、ドレイン端子３２が接続される本体部２１の別個独立した部分と、ソース端子３３が接続される本体部２１の別個独立した部分は異なる。このように、基板１０・導電部材２０組に実装される電子部品３０のうちの少なくとも一部は、その少なくとも一部の端子が、導電部材２０に電気的に接続されるものである。
【手続補正書】
【提出日】平成29年6月2日(2017.6.2)
【手続補正１】
【補正対象書類名】特許請求の範囲
【補正対象項目名】請求項１
【補正方法】変更
【補正の内容】
【請求項１】
一方の面に導電パターンが形成されるとともに、開口が形成された基板と、
本体部が前記基板の他方の面に固定された部材であって、前記基板に形成された開口を通じて電子部品の一部の端子が電気的に接続される導電部材と、
前記導電部材における前記基板側の反対側の面に固定される放熱部材と、
を備え、
外部機器が電気的に接続される部分であって、前記導電部材の本体部から延びた延設部が、前記放熱部材に沿う平面と交差するように設けられていることを特徴とする基板ユニット。
【手続補正２】
【補正対象書類名】明細書
【補正対象項目名】００２１
【補正方法】変更
【補正の内容】
【００２１】
電子部品３０は、基板１０・導電部材２０組に実装される素子であって、素子本体３１および端子部を有する。基板１０・導電部材２０組には複数の電子部品３０が実装されている。特定の電子部品３０の少なくとも一部の端子は、基板１０に形成された開口１１を通じて導電部材２０の本体部２１に電気的に接続される。このような端子の一部が導電部材２０の本体部２１に電気的に接続される電子部品としては、トランジスタ（ＦＥＴ）が例示できる。図３および図４に示すように、トランジスタのドレイン端子３２およびソース端子３３は、基板１０に形成された開口１１を通じて導電部材２０の本体部２１に接続され、ゲート端子３４は基板１０の導電パターンに接続される。このように、基板１０・導電部材２０組に実装される電子部品３０のうちの少なくとも一部は、その少なくとも一部の端子が、導電部材２０に対し直接電気的に接続されるものである。別の見方をすれば、全ての端子が基板１０に形成された導電パターンに直接電気的に接続される電子部品３０（少なくとも一部の端子が導電部材２０に対し直接電気的に接続されないもの）が存在していてもよいということである。
【手続補正３】
【補正対象書類名】明細書
【補正対象項目名】００３０
【補正方法】変更
【補正の内容】
【００３０】
また、図１０に示す構造では、放熱部材４０′が上側に位置し、外部機器接続部（土台部５１１′、雄ねじ部５１２′）が上向きであるものの、当該外部機器接続部が、基板１０′・導電部材２０′組（基板１０′・導電部材２０′組の本体部）の外側に位置することとなるため、基板１０′・導電部材２０′組の延設部２２′を外部機器接続部に接続する作業の作業性（スパナ等が基板１０′・導電部材２０′組に干渉しないようにすること）を考慮すると、基板１０′の平面方向における外部機器接続部と基板１０′・導電部材２０′組の距離を大きくしなければならない。別の見方をすれば、延設部２２′を長くしなければならない。よって、ユニットが基板１０′の平面方向に大型化してしまう問題がある。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
光源と、
光源に電源からの電圧を供給するバッテリと、
前記バッテリの充電中に第１の輝度で点灯するモニタランプと、
前記モニタランプを、前記バッテリの状態に応じた点灯状態で、前記第１の輝度よりも高い第２の輝度で制御する制御部と、
を備えた、
照明装置。
【請求項２】
前記制御部は、点検作業時において、前記光源に前記バッテリからの電圧が供給される第１所定時間後に、前記バッテリの充電状態に応じた前記モニタランプを第２所定時間にわたって制御する、
請求項１に記載の照明装置。
【請求項３】
前記制御部は、外部から送信された点検開始信号を受信する受信部を備え、前記受信部が前記点検開始信号を受信した時に前記点検作業を開始する
請求項２に記載の照明装置。
【請求項４】
前記制御部は、前記バッテリから所定の電圧以上の電圧が前記第１所定時間にわたって前記光源に供給されていた場合、前記第２所定時間内に前記モニタランプを前記第２の輝度で点灯させる、
請求項２又は３に記載の照明装置。
【請求項５】
前記制御部は、前記第１所定時間が経過する前に前記バッテリが所定の電圧未満となった場合、前記第２所定時間内に前記モニタランプを前記第２の輝度で点滅させる、
請求項２又は３に記載の照明装置。
【手続補正２】
【補正対象書類名】明細書
【補正対象項目名】００２０
【補正方法】変更
【補正の内容】
【００２０】
点灯ユニット５は、この発明の制御部であり、平常時は、商用電源等の外部電源からの電力（電圧）を光源３に供給する。モニタランプ６は、バッテリ４の充電中に第１の輝度で点灯する。第１の輝度は、光源３の点灯時にはグローブ７を介して外部から視認できない程度の輝度である。バッテリ４は、平常時に外部電源から充電される。
【手続補正３】
【補正対象書類名】明細書
【補正対象項目名】００２２
【補正方法】変更
【補正の内容】
【００２２】
図２に示すように、照明装置１０は、点灯ユニット５内に、一例として、切換回路５１、タイマ５２、検出部５３、点灯回路５４、受信部５５を備えている。切換回路５１は、光源３の電源を外部電源２０又はバッテリ４に択一的に切り換える。外部電源２０は、例えば、商用電源である。切換回路５１は、平常時には外部電源２０を光源３に接続し、異常時及び点検作業時にバッテリ４を光源３に接続する。タイマ５２は、予め設定された所定時間Ｔ１，Ｔ２（第１所定時間Ｔ１、第２所定時間Ｔ２）を計時する。検出部５３は、平常時に外部電源２０によるバッテリ４の充電状態を検出し、点検作業時にバッテリ４の電圧を検出する。点灯回路５４は、モニタランプ６の点灯を制御する。つまり、点灯回路５４は、点検作業時に、モニタランプ６をバッテリ４の充電状態に応じた点灯状態で点灯させる。受信部５５は、リモコン８から送信された点検開始信号を受信する。点灯ユニット５は、受信部５５が点検開始信号を受信すると、点検作業を開始する。
【手続補正４】
【補正対象書類名】明細書
【補正対象項目名】００２４
【補正方法】変更
【補正の内容】
【００２４】
点灯ユニット５は、所定時間Ｔ１の間にバッテリ４の電圧が正常電圧以上であった場合には、光源３の電源を外部電源２０に復帰させた後（Ｓ７）、タイマ５２を起動してモニタランプ６を第１の輝度よりも輝度が高い高輝度（第２の輝度）で点灯させる（Ｓ８，Ｓ９）。所定時間Ｔ１が経過する前にバッテリ４の電圧が正常電圧未満となった場合には、その時点で光源３の電源を外部電源２０に復帰させた後（Ｓ１０）、タイマ５２を起動してモニタランプ６を高輝度で点滅させる（Ｓ１１，Ｓ１２）。
【手続補正書】
【提出日】平成29年6月21日(2017.6.21)
【手続補正１】
【補正対象書類名】明細書
【補正対象項目名】００２５
【補正方法】変更
【補正の内容】
【００２５】
次に、本実施例の作用を説明する。ホルダ１０と圧接端子金具３０との組付けは、圧接端子金具３０と電線４１Ａ，４１Ｂの圧接工程と並行して行われる。組付けに際しては、まず、第２ツイストペア線４０Ｂを構成する２本の第２電線４１Ｂを、下部振分けリブ２０によって左右に振り分ける。このとき、撚り合わされている２本の第２電線４１Ｂの隙間に、下部振分けリブ２０の下端縁を割り込ませるようにする。そして、第２ツイストペア線４０Ｂを上方へ移動させると、２本の第２電線４１Ｂが、次第に幅広となる下部振分けリブ２０の下部ガイド部２１により、下部摺接面２２に摺接しながら次第に互いの間隔を広げていく。そして、下部振分けリブ２０を通過した２本の第２電線４１Ｂは、夫々、取付け空間１５内に収容される。
【手続補正２】
【補正対象書類名】明細書
【補正対象項目名】００２８
【補正方法】変更
【補正の内容】
【００２８】
この後は、第１ツイストペア線４０Ａを構成する２本の第１電線４１Ａを、左右に振り分けながら、２つの圧接部３４に圧接する。このとき、２本の第１電線４１Ａの隙間に上部振分けリブ１７の上端縁を割り込ませるようにする。そして、第１ツイストペア線４０Ａを下方へ移動させると、図４に示すように、２本の第１電線４１Ａが、次第に幅広となる上部振分けリブ１７の上部ガイド部１８により、上部摺接面１９に摺接しながら次第に互いの間隔を広げていく。そして、上部振分けリブ１７を通過した２本の第１電線４１Ａは、夫々、取付け空間１５内に収容される。
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
リチウムイオンを吸蔵及び放出可能な正極と、
リチウムイオンを吸蔵及び放出可能な負極と、
前記正極及び負極に接触される非水電解液と、を備え、
前記非水電解液は、
ヘキサフルオロリン酸リチウムと、
２５℃で液体状態である、下記式（１）で示されるボロキシン化合物と、を含むことを特徴とする、リチウム二次電池。
【化１】
2016152140.tif 000001
（式（１）中、Ｒは、それぞれ独立して、炭素数が３以上の直鎖の鎖状アルキル基を有する有機基である。ただし、当該鎖状アルキル基は分岐を有していてもよく、当該鎖状アルキル基が分岐を有する場合には、当該直鎖を構成する部分の鎖状アルキル基の炭素数が３以上のものである。）
【請求項２】
前記非水電解液において、前記式（１）で示されるボロキシン化合物を構成するホウ素原子のうちの少なくとも１つが、４価のホウ素原子になっていることを特徴とする、請求項１に記載のリチウム二次電池。
【請求項３】
前記式（１）において、Ｒは、分岐を有していてもよい、炭素数が３以上の直鎖の鎖状アルキル基であることを特徴とする、請求項１又は２に記載のリチウム二次電池。
【請求項４】
前記式（１）において、Ｒの炭素数は６以下であることを特徴とする、請求項１又は２に記載のリチウム二次電池。
【請求項５】
前記非水電解液において、前記式（１）で示されるボロキシン化合物の含有量が、前記非水電解液における濃度として、０．１質量％以上２質量％以下であることを特徴とする、請求項１又は２に記載のリチウム二次電池。
【請求項６】
前記非水電解液には、ビニレンカーボネートが含まれていることを特徴とする、請求項１又は２に記載のリチウム二次電池。
【請求項７】
ヘキサフルオロリン酸リチウムと、
２５℃で液体状態である、下記式（１）で示されるボロキシン化合物と、を含むことを特徴とする、リチウム二次電池用電解液。
【化２】
2016152140.tif 000002
（式（１）中、Ｒは、それぞれ独立して、炭素数が３以上の直鎖の鎖状アルキル基を有する有機基である。ただし、当該鎖状アルキル基は分岐を有していてもよく、当該鎖状アルキル基が分岐を有する場合には、当該直鎖を構成する部分の鎖状アルキル基の炭素数が３以上のものである。）
【請求項８】
前記式（１）で示されるボロキシン化合物を構成するホウ素原子のうちの少なくとも１つが、４価のホウ素原子になっていることを特徴とする、請求項７に記載のリチウム二次電池用電解液。
【請求項９】
前記式（１）において、Ｒは、分岐を有していてもよい、炭素数が３以上の直鎖の鎖状アルキル基であることを特徴とする、請求項７又は８に記載のリチウム二次電池用電解液。
【請求項１０】
ビニレンカーボネートが含まれていることを特徴とする、請求項７又は８に記載のリチウム二次電池用電解液。
【請求項１１】
２５℃で液体状態である、下記式（１）で示されるボロキシン化合物を含むことを特徴とする、リチウム二次電池の電解液用添加剤。
【化３】
2016152140.tif 000003
（式（１）中、Ｒは、それぞれ独立して、炭素数が３以上の直鎖の鎖状アルキル基を有する有機基である。ただし、当該鎖状アルキル基は分岐を有していてもよく、当該鎖状アルキル基が分岐を有する場合には、当該直鎖を構成する部分の鎖状アルキル基の炭素数が３以上のものである。）
【手続補正２】
【補正対象書類名】明細書
【補正対象項目名】００１１
【補正方法】変更
【補正の内容】
【００１１】
図１は、本発明の一実施形態に係るリチウム二次電池１の内部構造を模式的に表す図である。図１に示すように、リチウム二次電池１は、リチウムイオンを吸蔵及び放出可能な正極１０と、リチウムイオンを吸蔵及び放出可能な負極１２とを少なくとも備えて構成されている。これらは、電池容器１３に収納される。そして、電池容器１３の内部には、電解液（「リチウム二次電池用電解液」や「非水電解液」ともいう）が充填されている。この電解液と正極１０及び負極１２との間でリチウムイオンが授受されることで、リチウム二次電池１の充放電が行われるようになっている。
【手続補正書】
【提出日】平成29年10月10日(2017.10.10)
【手続補正１】
【補正対象書類名】明細書
【補正対象項目名】０００６
【補正方法】変更
【補正の内容】
【０００６】
以上の課題を解決するため、請求項１に記載の発明は、
遊技に係る演出を行う演出手段と、
遊技の実行制御を行うとともに、所定の保証電圧が停電検出レベルに低下した場合に停電処理を行う制御手段と、を備えた遊技機であって、
停電により当該遊技機への電源供給が停止した場合に、前記保証電圧を所定期間に亘って供給可能な停電時供給手段と、
前記保証電圧から前記演出手段に供給するための演出用電圧を生成して供給する演出電圧供給手段と、
前記保証電圧から前記制御手段に供給するための制御用電圧を生成して供給する制御電圧供給手段と、
前記遊技の始動条件を成立させる起因となる事象を検出する検出手段と、を備え、
前記検出手段での検出信号を当該遊技機の外部に伝達するように構成し、
停電により当該遊技機への電源供給が停止した場合には、前記保証電圧が前記停電検出レベルに低下する前に、前記演出電圧供給手段による前記演出手段への前記演出用電圧の供給を停止する一方で、前記保証電圧が前記停電検出レベルに低下した後に、前記制御電圧供給手段による前記制御手段への前記制御用電圧の供給を停止することを特徴とする。
【手続補正２】
【補正対象書類名】明細書
【補正対象項目名】０００７
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
遊技に係る演出を行う演出手段と、
遊技の実行制御を行うとともに、所定の保証電圧が停電検出レベルに低下した場合に停電処理を行う制御手段と、を備えた遊技機において、
停電により当該遊技機への電源供給が停止した場合に、前記保証電圧を所定期間に亘って供給可能な停電時供給手段と、
前記保証電圧から前記演出手段に供給するための演出用電圧を生成して供給する演出電圧供給手段と、
前記保証電圧から前記制御手段に供給するための制御用電圧を生成して供給する制御電圧供給手段と、
前記遊技の始動条件を成立させる起因となる事象を検出する検出手段と、を備え、
前記検出手段での検出信号を当該遊技機の外部に伝達するように構成し、
停電により当該遊技機への電源供給が停止した場合には、前記保証電圧が前記停電検出レベルに低下する前に、前記演出電圧供給手段による前記演出手段への前記演出用電圧の供給を停止する一方で、前記保証電圧が前記停電検出レベルに低下した後に、前記制御電圧供給手段による前記制御手段への前記制御用電圧の供給を停止することを特徴とする遊技機。
【手続補正書】
【提出日】平成29年3月1日(2017.3.1)
【手続補正１】
【補正対象書類名】特許請求の範囲
【補正対象項目名】請求項５
【補正方法】変更
【補正の内容】
【請求項５】
請求項２に記載の充電式掃除機において、
前記充電式掃除機は、標準運転モードと、前記標準運転モードより前記電動送風機の駆動電流が大きい強運転モードとを有し、
前記制御部は、前記強運転モードのときに、前記電力一定制御と前記電流一定制御 で前記電動送風機を駆動し、
前記標準運転モードのときに、前記電流一定制御 で前記電動送風機を駆動する
ことを特徴とする充電式掃除機。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
第一の単相交流電力を供給する第一の電車線が設置された路線と、前記第一の単相交流電力よりも周波数の高い第二の単相交流電力を供給する第二の電車線が設置された路線を走行する車両の車両駆動システムにおいて、
前記第一の電車線もしくは前記第二の電車線から供給された単相交流電力を直流電力に変換し、直流電力線に出力する第一の電力変換装置と、
前記直流電力線に出力された前記直流電力を三相交流電力に変換する第二の電力変換装置と、
当該三相交流電力が供給される車両駆動用の電動機と、
前記第一の電力変換装置と並列に直流電力線に接続され、前記第一の単相交流の二倍の周波数帯に共振点を有する共振フィルタと、
前記直流電力線の電圧を検出する電圧検出器と、
前記電圧検出器の検出値に応じて前記第二の電力変換装置の出力を制御し、前記三相交流電力に重畳する脈動を抑制する脈動抑制手段を備えることを特徴とする車両駆動システム。
【請求項２】
請求項１に記載の車両駆動システムにおいて、
前記共振フィルタは、前記直流電力に重畳する前記第一の単相交流電力の二倍の周波数成分の脈動を吸収するとともに、
前記脈動抑制手段は、前記三相交流電力に重畳する前記第二の単相交流電力の二倍の周波数成分の脈動を抑制するように前記第二の電力変換装置の出力を制御することを特徴とする車両駆動システム。
【請求項３】
請求項２に記載の車両駆動システムにおいて、
前記第一の電車線と前記第二の電車線のいずれかから電力供給を受けているかを判断する電源判定手段を備え、
前記第一の電車線から電力供給を受けていると判断した場合には、脈動抑制手段を停止し、
前記第二の電車線から電力供給を受けていると判断した場合には、脈動抑制手段を動作させることを特徴とする車両駆動システム。
【請求項４】
請求項１ないし請求項３のいずれかに記載の車両駆動システムにおいて、
前記第一の電力変換装置と並列に前記直流電力線に接続され、前記直流電力を安定化させる平滑コンデンサを更に備え、
前記共振フィルタは、互いに直列接続された共振リアクトルと共振コンデンサを備える、ことを特徴とする車両駆動システム。
【請求項５】
請求項４に記載の車両駆動システムにおいて、
前記共振フィルタは、前記共振リアクトルに対して並列に接続される接触器を更に備え、
前記電圧検出器により前記共振フィルタの共振周波数と同一の脈動を検出した場合に、前記接触器を開放し、
前記電圧検出器により前記共振フィルタの共振周波数以外の脈動を検出した場合に、前記接触器が投入されることを特徴とする車両駆動システム。
【請求項６】
請求項４に記載の車両駆動システムにおいて、
前記共振フィルタは、前記共振リアクトルに対して直列に接続される接触器を更に備え、
前記電圧検出器により前記共振フィルタの共振周波数の脈動を検出したときは、前記接触器を開放させると共にビートレス制御を実行し、
前記電圧検出器により前記共振フィルタの共振周波数の脈動を検出しないときは、前記接触器を投入させると共にビートレス制御を停止することを特徴とする車両駆動システム。
【手続補正２】
【補正対象書類名】明細書
【補正対象項目名】００２４
【補正方法】変更
【補正の内容】
【００２４】
その後、二次電流指令ｉｓ＊と電流検出器４より検出する二次電流ｉｓを減算器１０６で減算する。電流制御器１０７は、その減算結果に基づいて交流電圧指令ｅｃを生成する。その後、減算器１０８で二次電圧ｅｓから交流電圧指令ｅｃを減算して、この減算結果に基づきＰＷＭ制御器１０９でコンバータパルス指令Ｓｃを生成する。
【手続補正３】
【補正対象書類名】明細書
【補正対象項目名】００６６
【補正方法】変更
【補正の内容】
【００６６】
同図の共振フィルタ１３は、共振リアクトル１３ａ、共振リアクトル１３ａと直列接続された共振コンデンサ１３ｂ、及び共振リアクトル１３ａと更に直列接続された接触器１３ｃを備え、コンバータ制御装置１００は、故障検出器１１０を備え、インバータ制御装置２００は、出力調整器２０８を備えている。